(57)【要約】【課題】小型化が図れ、組み立てが容易な押釦スイッチ付き回転式電子部品及びその組み立て方法を提供する。【解決手段】回転つまみ２０を回転することで第１回路基板１５０の回路パターン１５３の電気的出力を変化させる回転式電子部品１０を基台６０上に取り付けるとともに、基台６０を取付台９０に上下動自在に取り付け、回転つまみ２０をその真上から半径方向に押圧して基台６０を含む回転式電子部品１０全体を取付台９０に対して下降させることで第２回路基板１７０のスイッチ１８０を押圧部７３によって押圧する。第１回路基板１５０と第２回路基板１７０とを連結部１６０を介してフレキシブル回路基板１４０に一体に形成する。取付台９０にはスイッチ挿入部１１３を設け、スイッチ挿入部１１３に第２回路基板１７０のスイッチ１８０を取付板１９０と共にスライド挿入することでスイッチ１８０を押圧部７３に対向する位置に設置する。【選択図】図５
2007048620.tif 000002
【特許請求の範囲】
【請求項１】
回転つまみを回転することでこの回転つまみの回転軸方向に隣接して設置した第１回路基板の回路パターンの電気的出力を変化させる回転式電子部品を基台上に取り付けるとともに、前記基台を取付台に上下動自在に取り付け、回転つまみをその半径方向に押圧して基台を含む回転式電子部品全体を取付台に対して下降させることで前記基台に設けた押圧部によってこの押圧部に対向して取付台に設置した第２回路基板のスイッチを押圧する構造の押釦スイッチ付き回転式電子部品において、
前記第１回路基板と第２回路基板とを連結部を介してフレキシブル回路基板に一体に形成し、
前記取付台には前記第２回路基板に設けたスイッチを挿入することでこのスイッチを前記基台の押圧部に対向する位置に設置させるスイッチ挿入部を設けたことを特徴とする押釦スイッチ付き回転式電子部品。
【請求項２】
前記第２回路基板には、この第２回路基板のスイッチと共に、前記取付台のスイッチ挿入部内に挿入される取付部材が取り付けられていることを特徴とする請求項１に記載の押釦スイッチ付き回転式電子部品。
【請求項３】
前記基台には前記フレキシブル回路基板の連結部を挿通する挿通部を設け、
前記第１回路基板を基台の基板取付面に取り付けると共に、その連結部を前記挿通部に挿通して第２回路基板のスイッチを前記押圧部に対向する取付台上に配置することを特徴とする請求項１又は２に記載の押釦スイッチ付き回転式電子部品。
【請求項４】
回転つまみを回転することでこの回転つまみの回転軸方向に隣接して設置した第１回路基板の回路パターンの電気的出力を変化させる回転式電子部品を基台上に取り付けるとともに、前記基台を取付台に上下動自在に取り付け、回転つまみをその半径方向に押圧して基台を含む回転式電子部品全体を取付台に対して下降させることで前記基台に設けた押圧部によってこの押圧部に対向して取付台に設置した第２回路基板のスイッチを押圧する構造の押釦スイッチ付き回転式電子部品の組立て方法において、
前記第１回路基板と第２回路基板を連結部を介して一体に形成してなるフレキシブル回路基板を用意し、
前記第１回路基板を前記回転つまみと共に前記基台に取り付けることで回転式電子部品を組み立てる工程と、
前記基台を前記取付台に上下動自在に取り付ける工程と、
前記取付台に設けたスイッチ挿入部に前記第２回路基板に設けたスイッチを挿入設置することで前記基台の押圧部に対向する位置に前記スイッチを設置する工程と、
を具備することを特徴とする押釦スイッチ付き回転式電子部品の組み立て方法。
【請求項５】
前記取付台に設けたスイッチ挿入部への前記第２回路基板に設けたスイッチの挿入設置は、
予め前記第２回路基板に取付部材を取り付けておき、この取付部材を取り付けた第２回路基板のスイッチを、取付台に設けた挿入口からスライド挿入することで行うことを特徴とする請求項４に記載の押釦スイッチ付き回転式電子部品の組み立て方法。
【発明の詳細な説明】
【技術分野】
【０００１】
本発明は、回転式スイッチ等の回転式電子部品に押釦スイッチの機能を設けた押釦スイッチ付き回転式電子部品及びその組み立て方法に関するものである。
【背景技術】
【０００２】
従来、回転式スイッチの回転つまみを回転することによってそのスイッチの切り換えを行うと共に、回転つまみを回転しないで半径方向に押し込むことで別の押釦スイッチをオンオフ操作する構造の押釦スイッチ付き回転式電子部品がある。図６はこの種従来の押釦スイッチ付き回転式電子部品５００の概略断面図である（特許文献１参照）。同図に示す押釦スイッチ付き回転式電子部品５００は、取付台５１０に上下動自在に基台５２０を取り付け、基台５２０の一方の面にフレキシブル回路基板からなる第１回路基板５３０を取り付け、基台５２０の第１回路基板５３０を取り付けた面から軸５２１を突出してこの軸５２１に回転つまみ５４０を回転自在に取り付け、その際回転つまみ５４０に取り付けた摺動子５４５を前記第１回路基板５３０に設けた摺接パターン（図示せず）に摺接させ、一方取付台５１０の下部に設置したフレキシブル回路基板からなる第２回路基板５５０に設けたスイッチ５６０上に前記基台５２０の下部に設けた押圧部５２３を当接させて構成されている。ここで前記第１回路基板５３０と回転つまみ５４０と摺動子５４５とによって回転式電子部品５０５が構成される。そして回転つまみ５４０を回転すれば摺動子５４５が第１回路基板５３０に設けた摺接パターンに摺接してその電気的出力を変化する。一方回転つまみ５４０をその半径方向に押圧すれば、基台５２０を含む回転式電子部品５０５全体が取付台５１０に対して下降することでその押圧部５２３がスイッチ５６０を押圧してこれをオンする。
【０００３】
しかしながら上記従来の押釦スイッチ付き回転式電子部品５００には、以下のような問題点があった。
（１）上記押釦スイッチ付き回転式電子部品５００では、部品点数削減のため、第１回路基板５３０と第２回路基板５５０とを同一のフレキシブル回路基板に一体に設けているが、その際、両者を連結する帯状の連結部を、押釦スイッチ付き回転式電子部品５００の側部の方向（図６の紙面手前又は奥方向）に引き出す必要が生じる。しかしながら近年の電子機器の小型化の要求で、この押釦スイッチ付き回転式電子部品５００の側部に接近して別の電子部品が設置される等のため、前記連結部の外部への引き出しが困難になっている。
【０００４】
（２）上記押釦スイッチ付き回転式電子部品５００の組み立ては、その構造上、まず基台５２０に回転式電子部品５０５を組み付け、且つ第２回路基板５５０にスイッチ５６０を取り付けておき、次に第２回路基板５５０を取付台５１０に固定してから基台５２０を取付台５１０に上下動自在に取り付けることとなる。この順番で組み立てるのは、もし回転式電子部品５０５を取り付けた基台５２０を取付台５１０に取り付けた後に取付台５１０に第２回路基板５５０を取り付けようとすると、回転式電子部品５０５が障害となって第２回路基板５５０の取付台５１０への取り付けが困難になるからである。しかしながら、第２回路基板５５０の取付台５１０への取付作業は、前述のように第１回路基板５３０と第２回路基板５５０とが連結部で連結されているので、第２回路基板５５０を取付台５１０に取り付ける際、その近傍に連結部で連結された回転式電子部品５０５及び基台５２０が常に位置し、第２回路基板５５０の取り付け作業の邪魔になっていた。この問題は取付台５１０が小型化すればするほど大きくなり、また連結部が短くなればなるほど大きくなる。
【特許文献１】特開２０００−３６４１号公報
【発明の開示】
【発明が解決しようとする課題】
【０００５】
本発明は上述の点に鑑みてなされたものでありその目的は、小型化が図れ、小型化してもその組み立てが容易に行える押釦スイッチ付き回転式電子部品及びその組み立て方法を提供することにある。
【課題を解決するための手段】
【０００６】
本願請求項１に記載の発明は、回転つまみを回転することでこの回転つまみの回転軸方向に隣接して設置した第１回路基板の回路パターンの電気的出力を変化させる回転式電子部品を基台上に取り付けるとともに、前記基台を取付台に上下動自在に取り付け、回転つまみをその半径方向に押圧して基台を含む回転式電子部品全体を取付台に対して下降させることで前記基台に設けた押圧部によってこの押圧部に対向して取付台に設置した第２回路基板のスイッチを押圧する構造の押釦スイッチ付き回転式電子部品において、前記第１回路基板と第２回路基板とを連結部を介してフレキシブル回路基板に一体に形成し、前記取付台には前記第２回路基板に設けたスイッチを挿入することでこのスイッチを前記基台の押圧部に対向する位置に設置させるスイッチ挿入部を設けたことを特徴とする押釦スイッチ付き回転式電子部品にある。
【０００７】
本願請求項２に記載の発明は、前記第２回路基板には、この第２回路基板のスイッチと共に、前記取付台のスイッチ挿入部内に挿入される取付部材が取り付けられていることを特徴とする請求項１に記載の押釦スイッチ付き回転式電子部品にある。
【０００８】
本願請求項３に記載の発明は、前記基台には前記フレキシブル回路基板の連結部を挿通する挿通部を設け、前記第１回路基板を基台の基板取付面に取り付けると共に、その連結部を前記挿通部に挿通して第２回路基板のスイッチを前記押圧部に対向する取付台上に配置することを特徴とする請求項１又は２に記載の押釦スイッチ付き回転式電子部品にある。
【０００９】
本願請求項４に記載の発明は、回転つまみを回転することでこの回転つまみの回転軸方向に隣接して設置した第１回路基板の回路パターンの電気的出力を変化させる回転式電子部品を基台上に取り付けるとともに、前記基台を取付台に上下動自在に取り付け、回転つまみをその半径方向に押圧して基台を含む回転式電子部品全体を取付台に対して下降させることで前記基台に設けた押圧部によってこの押圧部に対向して取付台に設置した第２回路基板のスイッチを押圧する構造の押釦スイッチ付き回転式電子部品の組立て方法において、前記第１回路基板と第２回路基板を連結部を介して一体に形成してなるフレキシブル回路基板を用意し、前記第１回路基板を前記回転つまみと共に前記基台に取り付けることで回転式電子部品を組み立てる工程と、前記基台を前記取付台に上下動自在に取り付ける工程と、前記取付台に設けたスイッチ挿入部に前記第２回路基板に設けたスイッチを挿入設置することで前記基台の押圧部に対向する位置に前記スイッチを設置する工程と、を具備することを特徴とする押釦スイッチ付き回転式電子部品の組み立て方法にある。
【００１０】
本願請求項５に記載の発明は、前記取付台に設けたスイッチ挿入部への前記第２回路基板に設けたスイッチの挿入設置は、予め前記第２回路基板に取付部材を取り付けておき、この取付部材を取り付けた第２回路基板のスイッチを、取付台に設けた挿入口からスライド挿入することで行うことを特徴とする請求項４に記載の押釦スイッチ付き回転式電子部品の組み立て方法にある。
【発明の効果】
【００１１】
請求項１に記載の発明によれば、取付台に第２回路基板に設けたスイッチを直接固定するのではなく、第２回路基板に設けたスイッチを取付台に設けたスイッチ挿入部に挿入することでその設置を行うので、取付台へのスイッチの組み付けが容易になり、たとえこの押釦スイッチ付き回転式電子部品を小型化してもその組み立てが容易に行えるようになる。
【００１２】
請求項２に記載の発明によれば、第２回路基板に取付部材を取り付けたので、取付台のスイッチ挿入部内にスイッチを容易に挿入することができるようになり、従ってさらにこの押釦スイッチ付き回転式電子部品の組み立てが容易に行えるようになる。
【００１３】
請求項３に記載の発明によれば、基台の基板取付面に取り付けた第１回路基板に接続されている連結部を基台に設けた挿通部に挿通して基台の押圧部を設けた面側に第２回路基板を引き出す構造としたので、連結部をこの押釦スイッチ付き回転式電子部品の外部に突出するように引き出す必要がなく、この押釦スイッチ付き回転式電子部品の小型化が図れる。
【００１４】
請求項４に記載の発明によれば、取付台に第２回路基板に設けたスイッチを直接固定するのではなく、第２回路基板に設けたスイッチを取付台に設けたスイッチ挿入部に挿入設置することでその設置を行うので、取付台へのスイッチの組み付けが容易になり、たとえこの押釦スイッチ付き回転式電子部品を小型化してもその組み立てが容易に行えるようになる。
【００１５】
請求項５に記載の発明によれば、第２回路基板に取付部材を取り付けたので、取付台の挿入口からスイッチ挿入部内にスイッチを容易にスライド挿入することができるようになり、従ってさらにこの押釦スイッチ付き回転式電子部品の組み立てが容易に行えるようになる。
【発明を実施するための最良の形態】
【００１６】
以下、本発明の実施形態を図面に基づいて詳細に説明する。図１は本発明の一実施形態にかかる押釦スイッチ付き回転式電子部品１の分解斜視図であり、図２はこの押釦スイッチ付き回転式電子部品１を図１の反対側から見た分解斜視図である。両図に示すように押釦スイッチ付き回転式電子部品１は、摺動子３０を取り付けた回転つまみ２０と第１回路基板１５０とクリック板４０と押え板５０とからなる回転式電子部品１０と、前記回転式電子部品１０を取り付ける基台６０と、基台６０を上下動自在に取り付ける取付台９０と、前記第１回路基板１５０と連結部１６０を介して連結される第２回路基板１７０と、第２回路基板１７０に取り付けられる取付部材（以下この実施形態では「取付板」という）１９０とを具備して構成されている。以下各構成部品について説明する。
【００１７】
回転つまみ２０は合成樹脂を円板状に成形して構成されており、その中央に貫通孔２１を設け、その一方の面（第１回路基板１５０に対向する側の面）に金属板製の摺動子３０を固定し、他方の面に円形凹状のクリック機構収納部２７を設けその内底面にリング状の凹凸からなるクリック係合部２５を設けて構成されている。摺動子３０は弾性金属板製の基部３１から複数本の摺動接点３３を突出して構成され、基部３１の所定位置に設けた小孔に回転つまみ２０から突出する小突起状の固定部２９を挿入しその先端を熱カシメすることで回転つまみ２０に固定される。
【００１８】
クリック板４０は弾性金属板を略円板状に加工して構成されており、その中央に下記する基台６０の軸支突起６４先端の長円形状部分を嵌合する長円形の孔からなる嵌合部４１を設け、嵌合部４１の周囲に一対の円弧状のスリット４３を設けることでその外周側に円弧状の一対の弾発アーム４５を形成し、各弾発アーム４５の中央に回転つまみ２０側に向かって突出するように彎曲してなる弾発部４７を設けて構成されている。
【００１９】
押え板５０は合成樹脂を円板状に成形して構成されており、その中央に前記クリック板４０の嵌合部４１と同一寸法形状の長円形の孔からなる係合部５１を設けて構成されている。
【００２０】
基台６０は合成樹脂を成形することで構成されており、略平板状でその上端辺が円弧状の基板取付部６１と、基板取付部６１の下部から略直角に屈曲する押圧部取付部８１とを一体に設けて構成されている。基板取付部６１はその一方の面（回転つまみ２０を取り付ける側の面）が第１回路基板１５０を取り付ける基板取付面６３Ａ、他方の面が取付台取付面６３Ｂとなっており、基板取付面６３Ａの中央に軸支突起６４を突出して設け、さらに基板取付面６３Ａの外周を囲むようにリング状に突出する縁部６５が設けられている。基板取付面６３Ａの下方には一対の小突起からなる基板固定部６７が設けられ、その両外側には開口６９が設けられている。なお軸支突起６４は回転つまみ２０の貫通孔２１に回転自在に挿入される柱状部分の先端部分に横断面略長円形状の部分（この先端部分に下記するクリック板４０の嵌合部４１が嵌合して固定される）を設けて構成されている。
【００２１】
一方基台６０の取付台取付面６３Ｂの上端近傍の中央部分には略Ｔ字状に突出するガイド部７１が設けられ、またガイド部７１の下方には略舌片状に突出する係止片７３が設けられ、また係止片７３の下側には略舌片状に突出する係合部７５が設けられ、また係止片７３の左右両側にはそれぞれその先端が内向きにＬ字状に折り曲げられてなる係合片７７が突設されている。ここで前記係合部７５の幅は下記する取付台９０に設けた孔９９の幅とほぼ同一（孔９９の幅よりも若干小さい寸法）に形成され、また係止片７３の幅は係合部７５の幅より小さく形成され、さらに係止片７３の下面は先端に向かって係止片７３の幅を薄くするテーパ面に形成されている。
【００２２】
次に押圧部取付部８１の下面中央には、下方向に突出する小突起からなる押圧部７４が設けられている。また基板取付部６１と押圧部取付部８１が接続されている辺の部分には、辺方向に伸びる貫通するスリット状の挿通部７５が設けられている。
【００２３】
取付台９０は、略平板状の基台取付部９１と、基台取付部９１の下部を基台６０側に略直角に折り曲げてなる底部９３と、基台取付部９１の両側辺を基台６０側に略直角に折り曲げてなる側板部９５とを一体に成形することで構成されている。基台取付部９１の上端辺中央には上下方向に伸びる切り欠きからなるガイド受け部９７が設けられ、ガイド受け部９７の真下には上下方向に延びる長方形状の貫通する孔９９が設けられ、孔９９の内部には孔９９の下端面から棒状の弾性係止部材１０１を上方向に向かって突出している。弾性係止部材１０１の上部には爪形状の係止部１０３が設けられている。孔９９の両側には上下方向に延びる貫通する孔１０５が設けられており、孔１０５のそれぞれの孔９９側の内側面には上下方向に延びるレール１０７が設けられている。一方底部９３にはその中央部分を凹状に下方向に向けて屈曲させることで基板収納部１０９を設け、同時に基板収納部１０９の両側の肩部を基板載置部１１１とし、これら基板載置部１１１の面からこの取付台９０に取り付けられる基台６０の押圧部取付部８１の下部に至る略矩形状の空間をスイッチ挿入部１１３としている。スイッチ挿入部１１３の下記する第２回路基板１７０を挿入する側の開口を挿入口１１３Ａとしている。なお基板収納部１０９とスイッチ挿入部１１３の基台取付部９１側の面は開口１１５となっている。また側板部９５の先端辺９５Ａの上下からは２本ずつ細い柱状の取付部１１７が突設されている。
【００２４】
第１回路基板１５０と第２回路基板１７０と連結部１６０は１枚のフレキシブル回路基板１４０に一体に形成されており、第１回路基板１５０と第２回路基板１７０の出力は第２回路基板１７０の外周辺に接続された引出部１４１から外部に引き出されている。フレキシブル回路基板１４０は合成樹脂フイルム（例えばポリエチレンテレフタレートフイルムやポリイミドフイルム等）上に所望の回路パターンを形成して構成されている。そして第１回路基板１５０は円形であってその中央に前記基台６０の軸支突起６４を挿入する挿入部１５１を設け、また第１回路基板１５０の回転つまみ２０を設置する側の面に所望の回路パターン（図２に点線で示している。前記フレキシブル回路基板１４０上に形成する回路パターンの一部であり、例えば円弧状に形成されたスイッチパターンや抵抗体パターン等の摺接パターンで構成される。）１５３を設けて構成されている。連結部１６０の所定位置（前記基台６０の基板固定部６７に対向する位置）には基板固定部６７を挿入する小孔からなる固定部１６１が設けられている。第２回路基板１７０は略矩形状であり、その中央にスイッチ１８０を設置し、またスイッチ１８０の周囲２ヶ所に小孔からなる取付固定部１７１を設けて構成されている。スイッチ１８０は第２回路基板１７０上に設けた図示しないスイッチパターン上に可動接点板となる反転板１８１を取り付けて構成されている。スイッチパターンは前記反転板１８１の外周辺が当接するスイッチパターンと反転板１８１の中央に対向する位置に設置されるスイッチパターンとで構成され、反転板１８１を押圧することでその下面中央を中央のスイッチパターンに当接して両スイッチパターンを導通することでオンする。なおスイッチ１８０はこの構造のものに限定されず、例えばメンブレンスイッチ（２枚のフレキシブル回路基板を重ね合わせて両フレキシブル基板の対向する位置に設けた接点パターンを所定の隙間を介して対向して構成したもの）で構成しても良い等、種々の変更が可能である。
【００２５】
取付板１９０は合成樹脂を略矩形平板状に成形して構成されており、その外形は前記第２回路基板１７０よりも少し大きい外形を有し、その長手方向（この取付板１９０を取付台９０に挿入していく方向に垂直な方向）の幅寸法は前記取付台９０のスイッチ挿入部１１３の長手方向の幅寸法（即ち両側板部９５の対向する内側面間の幅寸法）と略同一の幅寸法に形成され、またその短手方向（この取付板１９０を取付台９０に挿入していく方向）の幅寸法は前記取付台９０のスイッチ挿入部１１３の短手方向の幅寸法と略同一に形成されている。つまり取付板１９０はスイッチ挿入部１１３にぴったり収納される外形寸法に形成されている。取付板１９０の上面の前記第２回路基板１７０の取付固定部１７１に対向する位置（２ヶ所）には取付固定部１７１を挿入される小孔からなる取付部１９１が設けられている。
【００２６】
押釦スイッチ付き回転式電子部品１の組み立ては、予め第２回路基板１７０に取付板１９０を取り付け、一方基台６０の基板取付部６１に第１回路基板１５０等からなる回転式電子部品１０を組み付け、その後これら基台６０と第２回路基板１７０とをそれぞれ取付台９０に装着することによって行う。以下具体的に説明する。第２回路基板１７０への取付板１９０の取り付けは、第２回路基板１７０の下面に取付板１９０を当接し、その際取付板１９０の各取付部１９１を第２回路基板１７０の各取付固定部１７１に挿入し、各取付部１９１の先端を熱カシメすることによって行う。一方基台６０への回転式電子部品１０の組み付けは、まず取付板１９０を取り付けた第２回路基板１７０を基台６０の押圧部取付部８１の押圧部７４を設けた面側に配置した状態で、第１回路基板１５０を基台６０の挿通部７５に通して基板取付面６３Ａ上に載置する。その際基台６０の軸支突起６４を第１回路基板１５０の挿入部１５１に挿入し、同時に基台６０の基板固定部６７を連結部１６０の固定部１６１に挿入し、基板固定部６７の先端を熱カシメすることで第１回路基板１５０を基台６０に固定する。なお前記取付部１９１の熱カシメと基板固定部６７の熱カシメとは、連結部１６０を基台６０の挿通部７５に通して平面状にした第１，第２回路基板１５０，１７０に対して同時に行っても良い。また逆に基板固定部６７の熱カシメ（さらには基台６０への回転つまみ２０等の組み付け）を取付部１９１の熱カシメよりも先に行っても良い。そして第１回路基板１５０の挿入部１５１に挿通した軸支突起６４を回転つまみ２０の貫通孔２１とクリック板４０の嵌合部４１と押え板５０の係合部５１に挿入し、押え板５０から突出した軸支突起６４の先端を熱カシメすれば、回転式電子部品１０の取付台６０への組み付けが完了し、図３に示すように、回転式電子部品１０を組み付けた基台６０と取付板１９０を取り付けた第２回路基板１７０とを連結部１６０によって連結した状態となる。
【００２７】
そして図３に示す状態からまず取付台９０に基台６０を取り付けるには、図４（ａ）に示すように、基台６０の取付台取付面６３Ｂを取付台９０の基台取付部９１のこれに対向する面に当接又は接近する。その際基台６０のガイド部７１を取付台９０のガイド受け部９７の上方に位置させ、同時に基台６０の係止片７３を取付台９０の係止部１０３の上方に位置させ、同時に基台６０の係合片７７（図１参照）を取付台９０の孔１０５内に挿入してレール１０７の上方に位置させる。そして取付台９０に対して基台６０を接近した位置のまま下降させれば、基台６０の係合片７７が取付台９０のレール１０７に係合され、同時に基台６０のガイド部７１が取付台９０のガイド受け部９７に挿入され、基台６０の係止片７３と取付台９０の係止部１０３とが弾性係止部材１０１が撓むことでスナップイン係合し、図４（ｂ）に示す状態となる。つまりこの実施形態の場合、回転式電子部品１０を取り付けた基台６０の取付台取付面６３Ｂを取付台９０の基台取付部９１の一方の面に向けて移動して接近させた後に少し下降してスナップイン係合することで、この基台６０を取付台９０にワンタッチで容易に取り付けることができる。
【００２８】
次に図４（ｂ）に示す状態から取付台９０のスイッチ挿入部１１３に、取付板１９０を取り付けた第２回路基板１７０及びスイッチ１８０をその挿入口１１３Ａ側から挿入し、スイッチ１８０の真上に押圧部７４を設置する。これによって図５に示す押釦スイッチ付き回転式電子部品１が完成する。なおスイッチ挿入部１１３に挿入して収納した取付板１９０を取り付けた第２回路基板１７０がスイッチ挿入部１１３から飛び出さないようにするため、図５に点線で示すカバー（金属板でも合成樹脂板でも良い）２００を取付台９０の側板部９５の先端辺９５Ａの部分に取り付け、カバー２００に設けた図示しない貫通孔に取付台９０の取付部１１７を挿入してその先端を熱カシメによって固定し、挿入口１１３Ａをカバー２００で塞ぐ。なおこのとき取付台９０に設けた基板収納部１０９には必要に応じてフレキシブル回路基板１４０の弛んだ部分（この実施形態では引出部１４１の部分）を収納する。なお上記組み立て方法では基台６０を第２回路基板１７０等よりも先に取付台９０に取り付けたが、その逆に取付板１９０を取り付けた第２回路基板１７０及びスイッチ１８０を先に取付台９０に挿入して取り付けても良い。
【００２９】
そして回転つまみ２０を回転すれば、摺動子３０がこの回転つまみ２０の回転軸方向に隣接して設置した第１回路基板１５０上の回路パターン１５３上を摺動してその電気的出力（例えば抵抗値の出力やオンオフ状態の出力）が変化する。なお回転つまみ２０の回転時にはクリック板４０の弾発部４７が回転つまみ２０のクリック係合部２５に係合離脱してクリック感覚を生じる。一方回転つまみ２０を真上方向（半径方向）、即ち図５に示す回転つまみ２０の最も上部の部分を真下に向かって押圧すると、基台６０を含む回転式電子部品１０全体が取付台９０に対して真下にスライド移動（下降）して押圧部７４がこの押圧部７４に対向して取付台９０に設置した第２回路基板１７０の反転板１８１を押圧してスイッチ１８０をオンする。
【００３０】
以上のように本実施形態によれば、第２回路基板１７０を直接取付台９０に固定するのではなく、第２回路基板１７０に設けたスイッチ１８０を取付台９０に設けたスイッチ挿入部１１３に挿入することでその設置を行うので、取付台９０へのスイッチ１８０の組み付けが容易になり、たとえこの押釦スイッチ付き回転式電子部品１を小型化してもその組み立てが容易に行えるようになる。特にこの実施形態においては、第２回路基板１７０にこれを補強する取付板１９０を取り付けたので、取付台９０のスイッチ挿入部１１３内にスイッチ１８０を容易に挿入することができるようになり、従ってさらにこの押釦スイッチ付き回転式電子部品１の組み立てが容易に行えるようになる。言い換えれば、たとえ第１，第２回路基板１５０，１７０が一体であってしかも小型化のために連結部１６０の長さを短くしたとしても、回転式電子部品１０を取り付けた基台６０の取付台９０への取り付けと、第２回路基板１７０に設けたスイッチ１８０の取付台９０への取り付けとを容易に行うことができる。
【００３１】
また基台６０の基板取付面６３Ａに取り付けた第１回路基板１５０に接続されている連結部１６０を基台６０に設けた挿通部７５に挿通して基台６０の押圧部７４を設けた面側に第２回路基板１７０を引き出す構造としたので、連結部１６０をこの押釦スイッチ付き回転式電子部品１の外部に突出するように引き出す必要がなく、この押釦スイッチ付き回転式電子部品１の小型化が図れる。
【００３２】
またこの実施形態では、基台６０の取付台取付面６３Ｂを取付台９０の基板取付部９１の面に向かって接近するように移動して組み付けるが、取付板１９０を取り付けたスイッチ１８０もこれと同じ方向からスイッチ挿入部１１３に向かって挿入して組み付けるので、何れの組み付け方向も同一で、その組み立てが容易になり、また連結部１６０の長さもより短くて済む。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば基台６０を取付台９０に上下動自在に取り付ける構造は上記実施形態の構造に限定されず、他の種々構造であっても良い。なお上記実施形態では取付台９０の底部９３に基板収納部１０９を設けたが、この基板収納部１０９は省略しても良い。また第２回路基板１７０に取り付ける取付板１９０の形状、構造、材質は種々の変更が可能であり、第２回路基板１７０のスイッチ１８０と共に取付台９０に設けた挿入口１１３Ａからスイッチ挿入部１１３内にスライド挿入されて設置されるものであればどのようなものであってもよい。
【図面の簡単な説明】
【００３４】
【図１】押釦スイッチ付き回転式電子部品１の分解斜視図である。
【図２】押釦スイッチ付き回転式電子部品１を図１の反対側から見た分解斜視図である。
【図３】押釦スイッチ付き回転式電子部品１の組立方法説明図である。
【図４】押釦スイッチ付き回転式電子部品１の組立方法説明図である。
【図５】押釦スイッチ付き回転式電子部品１の概略断面図である。
【図６】従来の押釦スイッチ付き回転式電子部品５００の概略断面図である。
【符号の説明】
【００３５】
１  押釦スイッチ付き回転式電子部品
１０  回転式電子部品
２０  回転つまみ
３０  摺動子
４０  クリック板
５０  押え板
６０  基台
６３Ａ  基板取付面
６３Ｂ  取付台取付面
７４  押圧部
７５  挿通部
８１  押圧部取付部
９０  取付台
１１３  スイッチ挿入部
１１３Ａ  挿入口
１４０  フレキシブル回路基板
１５０  第１回路基板
１５３  回路パターン
１６０  連結部
１７０  第２回路基板
１８０  スイッチ
１９０  取付板
【図１】
2007048620.tif 000003
【図２】
2007048620.tif 000004
【図３】
2007048620.tif 000005
【図４】
2007048620.tif 000006
【図５】
2007048620.tif 000007
【図６】
2007048620.tif 000008